(57)【特許請求の範囲】
【請求項１】
合成繊維のモノフィラメント糸から成る経糸と緯糸を製織して形成される抄紙用ドライヤーカンバスにおいて、該すべての緯糸が少なくとも３つの突起部を有する異形断面モノフィラメント糸から構成され、少なくとも１つの突起部が経糸との交絡部において折れ曲がり変形し、該折れ曲がり変形した突起部が緯糸の長手方向において溝部を形成していることを特徴とする抄紙用ドライヤーカンバス。
【発明の詳細な説明】
【０００１】
【発明の属する技術分野】
本発明は、抄紙機の乾燥部に使用されるドライヤーカンバスに関する。さらに詳しくは突起部を有する異形断面糸を用いた新規な抄紙用ドライヤーカンバスに関するものである。
【０００２】
【従来の技術】
従来より、合成繊維のモノフィラメント糸から成る経糸と緯糸を製織して形成される抄紙用ドライヤーカンバスにおいては、通常丸断面のモノフィラメントが採用されているが、その目的に応じては種々の異形断面糸が採用されている。例えば特開平８−３１１７９６号公報には、緯糸の抜け出し防止及び継手表面と接合用ループの変形防止を目的としてカンバス両端部の先端緯糸を断面六角形状のモノフィラメント糸で構成したものが開示されている。また特開平５−５９６８６号公報には、表面平滑性を目的に経糸及び／又は緯糸に扁平断面モノフィラメントで構成したものが開示されている。
【０００３】
【発明が解決しようとする課題】
しかしながら、従来から使用されている異形断面モノフィラメントは、主としてカンバス表面の平面平滑性又は通気度調整を目的にしたものであって、カンバス本体の寸法安定性を目的にしたものは見あたらない。
【０００４】
また、近年、抄紙用ドライヤーカンバスは、通気性、耐久性、防汚性の観点から、合成繊維のモノフィラメント糸を使用したものが多用されているが、従来から汎用されている丸断面モノフィラメント糸から成るカンバスにおいては、経糸と緯糸の交絡部が点接触に近いため経糸と緯糸間の自由度が大きく、その結果カンバス本体の寸法安定性に欠け、横方向の湾曲や斜行といったカンバスの変形が発生しやすい問題点があった。
【０００５】
本発明は上記問題点に鑑み、合成繊維のモノフィラメント糸から成るカンバスであっても経糸と緯糸との交絡部において自由度の少ない、寸法安定性に優れた抄紙用ドライヤーカンバスを提供しようとするものである。
【０００６】
【課題を解決するための手段】
本発明は、合成繊維のモノフィラメント糸から成る経糸と緯糸を製織して形成される抄紙用ドライヤーカンバスにおいて、該すべての緯糸に少なくとも３つの突起部を有する異形断面モノフィラメント糸を使用することにより上記課題を解決するものである。該少なくとも３つの突起部を有する異形断面モノフィラメント糸の少なくとも１つの突起部が経糸との交絡部において折れ曲がり変形していることにより、経糸と緯糸との交絡部における接触面積を増加させ、且つ該折れ曲がり変形した突起部分が緯糸の長手方向において溝部を形成し、経糸が該溝部に拘束され緯糸の長手方向にずれにくい構造を形成するため、経糸と緯糸との交絡強度を高め、その結果、カンバス本体の寸法安定性を向上させた抄紙用ドライヤーカンバスと成り得る。
【０００７】
【発明の実施の形態】
本発明の実施の一形態を実施例の図を基に以下に詳細に説明する。図１は本発明の一形態である抄紙用ドライヤーカンバスの断面写真を示す。１は経糸、２は緯糸、３は突起部、４は突起部の折れ曲がり変形部、５は経糸と緯糸の交絡部を示す。図２は図１の経糸と緯糸の交絡部における緯糸断面写真を示す。
【０００８】
本発明の抄紙用ドライヤーカンバスは、緯糸が少なくとも３つの突起部を有する異形断面モノフィラメントから構成することが好ましい。本発明においては経糸と緯糸との交絡部において緯糸の少なくとも１つの突起部が経糸の曲率に沿って折れ曲がり変形することにより経糸と緯糸の交絡部の接触面積を増加させ、且つ折れ曲がり変形した部分が緯糸の長手方向において溝部を形成し、該溝部によって経糸が拘束され、緯糸の長手方向にずれにくい構造を形成するため、経糸と緯糸との交絡強度を高め、その結果、カンバス本体の寸法安定性を向上させた抄紙用ドライヤーカンバスと成り得るものであり、このような現象を生じせしめるためには少なくとも３つの突起部が必要となる。突起部が２つ以下であると経糸との交絡部において突起部の位置によっては突起部が折れ曲がり変形しない場合が生じ、その結果経糸との交絡強度に劣ったものとなる。より好ましくは緯糸が少なくとも４つ以上の突起部を有することで、前記突起部の折れ曲がり変形部を２ヶ所以上形成することが経糸を拘束する上で望ましい。また、緯糸断面形状において、その異形断面形状を特に限定するものではなく、上記作用を発現する突起部が少なくとも３つあれば良く、ここでいう突起部の形状についても特に限定するものではないが、例えば図１、図２に例示するような鋭角な突起部を有するものが好ましい。鋭角とは少なくとも９０度以下の角度であり、好ましくは６０度以下である。本発明における緯糸の断面形状としては、例えば、三角型、十字型、星型等があげられる。
【０００９】
以上、本発明を図示の実施の形態に基づいて説明したが、本発明はかかる実施の形態に限定されず、本発明の範囲内でその具体的構造に種々の変更を加えてもよいことはいうまでもない。尚、上記ドライヤーカンバスにはフエルト層を備えたニードルカンバス基布を含む。次に本発明の効果を実施例と比較例で具体的に説明する。
【００１０】
（実施例１）  経糸に長径０．５６ｍｍ、短径０．２８ｍｍの扁平断面ポリエステルモノフィラメント、緯糸に断面十字型、０．５５ｍｍ高さの異形断面ポリエステルモノフィラメントを使用し、経糸密度５６本／インチ、緯糸密度３７本／インチの２重織組織の抄紙用ドライヤーカンバスを製織した。得られたカンバスの断面写真を図１に示す。本実施例においては、図３に示すような４つの突起部を有する断面十字型のモノフィラメントを使用した。尚、この断面十字型のモノフィラメントは、東レモノフィラメント社製のタイプ５８１Ｄを使用した。得られたカンバスの厚みは１．５０ｍｍ、通気度は２００００ＣＣＭであった。
【００１１】
（比較例１）  緯糸に直径０．４５ｍｍの断面丸型ポリエステルモノフィラメントを使用した以外は実施例１と同様にしてドライヤーカンバスを得た。本比較例で使用した緯糸のデニールは実施例１の緯糸のデニールと同等のものとした。得られたカンバスの厚みは１．５４ｍｍ、通気度は２５０００ＣＣＭであった。
【００１２】
実施例１における抄紙用ドライヤーカンバスの断面写真が図１である。図２に図１の経糸と緯糸の交絡部における緯糸の断面写真を示す。図から明らかなように、緯糸の突起部の少なくとも１つが、経糸との交絡部において経糸により押しつぶされ、折れ曲がり変形している。この折れ曲がり変形部が、経糸との接触面積を増加させ、且つ溝部を形成することにより、経糸を拘束し自由度の低い、カンバス本体の寸法安定性に優れた抄紙用ドライヤーカンバスを構成する。図５は製織後の緯糸を取り出し、その変形の様子を長手方向から確認した緯糸の長手方向写真であり、経糸との交絡部において緯糸の突起部が変形し、溝部６を形成していることが確認される。
【００１３】
実施例と比較例にて得られたカンバスの斜め方向の寸法安定性を評価した結果を図６に示す。本評価は、温度１３０℃雰囲気下において、サンプルカンバス（１０ｃｍ角）をバイアス方向（経糸方向に対し４５度の斜め方向）に、引張速度２０ｍｍ／ｍｉｎにて引張試験し、伸度と荷重の関係を比較したものである。
【００１４】
得られた本発明の抄紙用ドライヤーカンバスは、その寸法安定性において約２０％以上優れていることが確認された。また、カンバス本体強力においては、実施例、比較例とも縦方向横方向共に同等であった。
【００１５】
【発明の効果】
本発明の抄紙用ドライヤーカンバスは、モノフィラメント糸から成るカンバスであっても優れた寸法安定性を有し、横方向の湾曲や斜行といったカンバスの変形を防止することが出来る。また通常の断面丸型の緯糸使いに比べ、低通気度で、厚みを低減することができる。
【図面の簡単な説明】
【図１】  本発明の一形態である抄紙用ドライヤーカンバスの断面写真である。
【図２】  図１の経糸と緯糸の交絡部における緯糸断面写真である。
【図３】  実施例における突起部を有する緯糸の断面写真である。
【図４】  製織前の緯糸の長手方向写真である。
【図５】  製織後の緯糸の長手方向写真である。
【図６】  実施例と比較例の寸法安定性評価グラフである。
【符号の説明】
１  経糸
２  緯糸
３  突起部
４  折れ曲がり変形部
５  経糸と緯糸の交絡部
６  緯糸の長手方向における溝部
７  突起部の鋭角
【図１】
0003676645.tif 000002
【図２】
0003676645.tif 000003
【図３】
0003676645.tif 000004
【図４】
0003676645.tif 000005
【図５】
0003676645.tif 000006
【図６】
0003676645.tif 000007